(57)【要約】本発明は、流体の電流から電気を生成するためにタービンに関し、中央のバルブ（２）ブレードの第１および第２のグループは、各バルブ（２）に取り付けられている。ブレードの最初のグループは、電流の作用下で第一の方向に回転するように配置され、ブレードの第二群は、電流の作用下で第一と反対の第２方向に回転するように配置され、ブレードの第二のグループは、第１グループのブレードによって区切られた空間内で回転するように配置されている。第一および第二の群はそれぞれ、少なくとも二つの螺旋ブレード（４２、５２）と、少なくとも２つの維持ブレード（４１、５１）を含む。第１および第２のグループのそれぞれは、螺旋ブレード（４２、５２）の数は、ブレード（４１、５１）を維持するの数に等しい：維持ブレード（４１、５１）のベース（４１Ａ、５１Ａ）はバルブ（２）に固定し、バルブの本質的に垂直に延びている。各螺旋状の羽根（４２、５２）、およびまたはその頂点にブレード（４１、５１）の第二の端部（４２Ｂ、５２Ｂ）（４１Ｂ近く電球（２）の先端部（２Ａ）への第一の端部（４２Ａ、５２Ａ）に固定されている、５１Ｂ）を維持する。
2016502034.tif 000002
【特許請求の範囲】
【請求項１】
流体の流れから電気を生成するタービンであって、
・中央の電球（２）、
・バルブ（２）のそれぞれに取り付けられたブレードの第一および第二の基
を含み、
最初の羽根群は、電流の作用下で第１の方向に回転するように配置され、ブレードの第二群は、前記ブレード、電流の作用下で第一の反対の第２方向に回転するように配置されている第二のグループは、前記第一のグループのブレードとの間の空間内で回転するように配置されており、
第一および第二のグループそれぞれが少なくとも２つの螺旋ブレード（４２、５２）と、少なくとも２つの保持のブレード（４１、５１）を備え、
第１および第２のグループのそれぞれにおいて、その中に、螺旋ブレード（４２、５２）の数は、ベーン（４１、５１）を保持するの数に等しく、保持ベーン（４１、５１）は、それらのベース（４１Ａ、５１Ａ）を有するバルブに接続されている（２）及びバルブ（２）に対して実質的に垂直に延び、その各螺旋羽根（４２、５２）に電球（２）と第２の端部の先端部（２Ａ）での第一の端部（４２Ａ、５２Ａ）が接続され（４２Ｂ、５２Ｂ）、または周囲にその保持ブレード（４１、５１）の頂部（４１Ｂ、５１Ｂ）を有する、タービン。
【請求項２】
ベーンの数を調整するブレードの第１および第２のグループは、それぞれ、さらに少なくとも二つの調整ベーンを含み、螺旋羽根の数に等しく、前記規制ブレードに電球（２）の表面に本質的に垂直に開発され、それらのベース（４０Ａ）は（電球（２）の先端部（２Ａ）に近く、その各螺旋羽根に位置しており（４２、５２）（４２Ａ、５２Ａ）または上部（４０Ｂにその近傍に一端が取り付けられており、５０Ｂ）がある規制ブレード（４０、５０）、各螺旋羽根（４２、５２）の電球の先端部（２Ａ）での第一の端部（４２Ａ、５２Ａ）に接続されている（２）を介して調節ベーン（４０、５０）を含む、請求項１記載のタービン。
【請求項３】
バルブ（２）を保持ブレードの背面に、その長さの最大直径（ＤＭ）と一定の部分（Ｘ）を有することを特徴とし、電球の表面に現れるこの画分（ｘ）と副作用の着実下流減少球直径（２）最大（イム）へのより多くのおおよその増加するバルブの後端部（２ｂ）と（２）、バルブ（２）のバルブの直径（２）より後端側に、より近いを減少（２ｂ）は、電球の形状（２）の近くその後、半球形のものに近い、請求項１または２に記載のタービン。
【請求項４】
電球（２）５〜１５度での負の影響の概算が最大（イム）となることを特徴とする、請求項３に記載のタービン。
【請求項５】
先行する請求項のいずれかに記載の前記タービンが、付加的な保持ブレードを、ブレードの第二のグループは、さらに多くの追加の保持ブレード（５３）と螺旋ブレード（５２）を備えることを特徴と言いました（５３）（２）電球に対して垂直に実質的に延び、バルブ（２）フロントエンド（２Ａ）の間に保持ブレードの電球及びベース（５１Ａ）を前記の上部に述べするそれらのベースに固定されています螺旋状の羽根（５２）のブレードの第二のグループを言いました。
【請求項６】
バルブ（２）は電気の生産のために必要な電気機器を収容するための少なくとも一つの区画を有することを特徴とする、請求項１〜５のいずれか１項に記載のタービン。
【請求項７】
浸漬したときバルブ（２）空中浮力とタービンの水平位置の中立性を確保するための領域を充填し、その長さに沿って分布していることを特徴とする、請求項１〜６のいずれか１項に記載のタービン。
【請求項８】
ブレードの第１および第２のグループの螺旋ブレード（４２、５２）は３／４と５／６ターンの間に各フォームを特徴とする、請求項１〜７のいずれか１項に記載のタービン。
【請求項９】
前記タービンは、螺旋ブレードによって形成された螺旋（４２、５２）の２／３〜３／４のバルブ（２）の先端部２ａの下流求心であることを特徴とし、その最大距離からみた螺旋ブレード（４２、５２）の遠心渦巻きが後端部に規則的である（４２Ｂ、５２Ｂ）螺旋ブレードを有する、請求項８に記載のタービン。
【請求項１０】
保持ベーン（４１、５１）のバルブ（２）から、それらの長さの３／４と２／３から分離されていることを特徴とする請求項１〜９のいずれか１項に記載のタービン。
【請求項１１】
調節羽根（４０、５０）は、バルブ（２）から、それらの長さの３／４と２／３から分離されていることを特徴とする、請求項２〜１０のいずれか１項に記載のタービン。
【請求項１２】
剛性フラップ（９）を容易にするために、ブレードの第１グループの保持ベーン（４１）の各々の上にフィンを固定することでブレードの前記第一のグループの回転を開始することを特徴とする請求項１〜１１のいずれか１項に記載のタービン。
【請求項１３】
剛性フラップ（９）は、ブレードの第二群、始動を容易にするためのフィンの規制羽根のそれぞれに固定されていることを特徴とする、請求項２〜１２のいずれか１項に記載のタービン。
【請求項１４】
フィンを容易にするために剛性フラップ（１０）が、ブレードの第二群の螺旋ブレード（５２）のそれぞれに固定され、ブレードの前記の第二のグループの回転を開始することを特徴とする、請求項１〜１３のいずれか１項に記載のタービン。
【発明の詳細な説明】
【技術分野】
【０００１】
本発明は、発電用の螺旋ブレードタービンに関する。
【背景技術】
【０００２】
水力発電は、「グリーン」と呼ばれるエネルギーの一形態である。
【０００３】
「再生可能エネルギー」。これまでのところ、ダムを作成し、タービンを回して電気を生成するための最小電流を生成するために、導管を余儀なくされていた。しかし、川、自然の水（海や海）のいくつかのストレッチは、タービンを回して電気を生成を助けることができ、電流や水のボリュームを持つことができます。目標は、自然な流れを使用することであり、それを作成しないので、これらの河川や自然の水路の使用が少ないインフラストラクチャが必要となる。しかし、タービンは、特定の状況に適切であるべきであり、それらがインストールされている環境に負荷の少ないを持っている必要があります。
【発明の概要】
【０００４】
国際公開２００７／１２９０４９号公報は、第１ロータを備えるタービンが回転軸流方向に対して横方向に延在する螺旋羽根を複数有し、好ましくは、長手方向軸を中心に電流の方向に対して横方向に回転するように取り付けられた発明が開示されている。タービンはまた、第２のロータが回転軸と前記螺旋状の複数の羽根を有し、好ましくは、縦軸が電流方向を横断する程度回転するように取り付けられることを含む。第１ロータは、電流の作用下で第一の方向に回転するように配置され、第２ロータは、第一第二の反対方向に回転するように配置されている。第２のロータのベーンは、第１のロータのブレードが第２ロータのブレードによって囲まれた空間内で回転するように配置されている。
【特許文献１】国際公開２００７／１２９０４９号
【０００５】
このタービンは、その縦軸が電流を横断するように配置される。しかし、横方向に配置されたタービンは、多くの混乱を生じる。また、それは横方向だけでなく、高電流を意識するが流体の下流の急速放電羽根車を取り、それは必要な電流を再現するために、流体の導管の十分な傾斜を必要とする。プロファイルに見られる円形のそれらの半分を運ぶときにタービンの横位置の場合には、そのブレードは、電流の方向に、特に有効である。その後半の円を行う場合、彼らは乱流上流の夜明けで働くとの方向に先行しているため、上流に行く、彼らは彼らのプロファイルの形状にかかわらず、あまり効率的に回転しない。このタービンは、半水没、流れの表面に維持することができる。この位置では、タービン効率は、表面に近い流れの破壊によって低下し、ブレードがその全回転の半分にのみ動作する。
【０００６】
それらの端部での螺旋ブレードの固定点間の流れをチャネリングしながら、タービンの横方向位置は、さらにコンクリートの重要なインフラを必要とする。ブレードの回転可能なベース間に左スペース（ローター）とチャネルの側面は、タービンの生産性を低下させる。螺旋ブレード（ロータ）の塩基は平坦であるように、国際公開２００７／１２９０４９号公報に記載されたタービンが流れに平行に配置することができる。全面には、現在の横方向の位置に残される。同じ螺旋羽根（国際公開２００７／１２９０４９号公報の図２および図３）との固定点間で、ますます外側に切り捨てられ、塩基は、その位置の下流の流れの大きな混乱を引き起こし、タービンの生産性を減少させるであろう。
【０００７】
電気無公害を生成するタービンを提供することが本発明の目的は、その培地または強く、低電圧で効果的であり、唯一の影響を誘発少しインフラを必要と特に野生生物や人間活動の環境負荷の少ないものである。本発明は、請求項１に記載のタービンにも関する。
【図面の簡単な説明】
【０００８】
図面は、本発明の図式および実施例により、器具のいくつかの実施形態を示す。
【図１】図１は、海の中に浸漬し、本発明によるタービンの側面図である。
【図２】図２は、海の中に浸漬し、本発明によるタービンの側面図である。
【図３】図３は、ストリームや川に位置して、本発明によるタービンの正面図である。
【図４】図４は、低および中程度の電流用のバージョンでの、本発明によるタービンの長手方向軸線に沿う断面部分図である。
【図５】図５は、低および中程度の電流用のバージョンでの、本発明のタービンのブレードの一部の側面図である。
【図６】図６は、図５に示すブレードの正面図である。
【図７】図７は、低および中程度の電流用のバージョンでの、本発明のタービンに固定翼の第１および第２のグループの回転方向を示す図５と同様の図である。
【図８】図８は、低および中程度の電流がそのバージョンでの、本発明による電球タービンの側面図である。
【図９】図９は、剛性、半フィンが外部保持ブレードと、本発明によるグループの第一および第二のタービンブレードの開始を調節するための内部羽根にそれぞれ固定されている変形例を示す。
【図１０】図１０は、剛性、半フィンが外部保持ブレードと、本発明によるグループの第一および第二のタービンブレードの開始を調節するための内部羽根にそれぞれ固定されている変形例を示す。
【図１１】図１１は、本発明のタービンのすべてのブレードのプロファイルを示す。
【図１２】図１２は、規制ブレードの上部と低および中程度の電流用のバージョンでの、本発明によるタービンの螺旋羽根の先端部の詳細図である。
【図１３】図１３は、本発明によるタービンの外側と内側螺旋ブレードによって記述スパイラルを示す。
【図１４】図１４は、強い電流のバージョンでの、本発明による電球タービンの側面図である。
【図１５】図１５は、強力な電流のそのバージョンでの、本発明のタービンの正面図である。
【図１６】図１６は、螺旋ブレードの相対的な影響を表す詳細な平面図や側面、高電流のために、そのバージョンでの、本発明のタービンの正面螺旋ブレードである。
【発明を実施するための形態】
【０００９】
タービンは、本発明の目的は、遊離またはダクトガス流体で運ば液体流体で動作可能である。戸外では、可能な限り一定の方向及び強度のような風の恩恵を受けるために、地球の表面からの距離で、ほとんどの場合、風の強い領域に配置される。それはオープンウォーターで動作するタービンよりも多くのインフラストラクチャが必要となる。オープンエアで動作するタービンが電球に対する螺旋羽根の間隔の最大レベルまで、前方に位置する軸の周りに、両方向に水平面上で３６０°回転させることができる。それは、チャネリング流体で動作するか、自由なガス流に、タービンは、螺旋状の羽根が固定された垂直及び螺旋ブレードの外側の球の周りに実質的に開発された少なくとも二つの円形の前部および後部の構造を、それぞれ電球に関してそれらの最大間隔で電球の長さの後半に位置レベルで備えている。その全周にわたって、これらの円形の構造の外観は、ボールベアリングを介して、構造物の周囲に位置するように多くのタービン固定リングに固定されている。
【００１０】
本発明のタービンはまた、反転の推進手段であることを可能にするブレード構成（螺旋ブレードのグループおよび維持または規制ブレードのグループ、ヘリカル保持電球の周りに開発された）を有し、凹凸や規制ブレードのプロファイルの曲率と電球から自分の最大距離から撮影したその長さの３／４にほぼ２／３に螺旋ブレードのもの、と反転この該画分の横方向と縦方向の衝撃螺旋ブレードを有する。本発明によれば、収縮と螺旋ブレードの長手方向の拡大も反転します。羽根は少なくとも約２／３から取られたその長さの３／４にますます、次に縦方向に拡大月電球からの最大間隔となる。この画分には、その発生率が増加し、より多くの交差を有する。約２／３とその長さの３／４の間に、螺旋羽根の長手方向および横方向の効果は逆転、ならびに上面および下面と、そのプロファイルは湾曲している。推進剤の前記レベルから、螺旋ブレードはますますノズル内の燃料噴射又は好ましくは水素により、その後端部まで、推進されている。本発明に係る保持ブレードは、この実施形態で同様である。本発明によれば、内側螺旋ブレードは、バルブおよびバルブの長さの後半に開発された実質的に垂直に、追加の保守ベーン、少なくとも１個の基の上に、本実施の形態では固定されている。彼らの役割はさらに推進剤の部分と反応器の動力タービンを分離されている。これらのいわゆる補足羽根はには影響を与えない。
【００１１】
その流れ最小値以下となることは通常ではない。海や川で動作するタービンが生産性の向上、インスタントと年、風力タービンを経験している。知られている潮汐に起因する海洋電流は、強さと方向に多少異なる。屋台が短期のものである多くのサイトがある。ストールの生産の不足を克服するために、タービンによって生成される電力の割合は高い位置タンク内の水を押し出すポンプに電力を供給するために使用することができる。屋台では、タービンは、この貯水池から水と電気を生成する。本発明に係るタービン１は、一般に、バルブ２は、その上に水の力を受けて回転することを目的とブレードの一連の固定されている。これらの羽根は、以下に詳述する。
【００１２】
まず、簡単にタービン１との接続の固定を説明する。
【００１３】
一般に、タービン１は、周囲の環境、特に野生動物、またはヒトの活性を妨害しないように電流に平行で配置されて実質的に配置される。例えば、海で、タービン１が妨害海上交通（図１）を回避するのに十分な深さで固定される。特別な構成はまた動物、植物やダイバー図１およびストリームや川で３に示すようなネット１０７を保護するために提供することができ、タービン１は、例えば魚チャネル１０８と平行に配置することができ（図３）、これを囲む動植物への影響を制限する。
【００１４】
タービン１は、保持ケーブルで上流側に保持されるか、保持管１００は、電気ケーブル内に配置されている。海での図１及び図２に示すように、支持ケーブル１００とタービン１の電流に平行のままに両方向に水平面上で３６０°回転させることができる。図２の右側にあるか、そのベースはバックグラウンドで固定されている旋回異形管１０３に沿って示されるように、海で、１００ケーブルが底にアンカー支線塔部１０２の上に保持され、図２の左側に示すように、プロファイル水没ブイ１０４によってトップが保持される。
【００１５】
図３に示すように、河川では、チューブ又は支持ケーブル１００は、バックグラウンドに固定マスト部１０２に取り付けられている。
【００１６】
海では図２に示すように、支持ケーブル１００は、プーリー１０５を介して、達成するために、マスト部１０２またはセクションチューブ１０３の内側に最も近い海岸を拡張する。海岸では、キャプスタン１０６は、表面にタービン１の上昇を抑制し、バック動作位置にするために、リラックスしたり、支援ケーブル１００を巻くことができる。羽根車の上方への移動をトリガするために、２つのプランジャの動作は四十メートルのおおよその深さに十分である。より深く、ブイは徐々に収縮した後、膨張、バルブ２の後端部２ｂにリング６に取り付けることができる。タービン１がこのようにあまりにも速く、ロープがでループされないように、表面からタービンの上昇を制御するために、ロープは、その降下中にリング６にループさリング６と、表面から徐々に巻き戻される。
【００１７】
一般的に、マスト部にケーブルまたは保持管１００は、干渉タービンのハブ３の先端に取り付けられているによるチューブ１０３または１０２は、それらの後縁に沿って小さく、かつストリームは、それら（チューブまたはサポートケーブル１００の長さ）の間の距離を表示し、タービンの前にアイドルではない。
【００１８】
ハブ３は、当該バルブ２（図４）の長手軸上のタービンのバルブ２の長手方向の中央部に位置している。具体的には、タービン１の手段３は、実質的に電流に平行であるように配置される。
【００１９】
図４を参照すると、本発明に係るタービンの第１実施形態１３に記載され、ベーンが低い電流に対して大きさでは、約０．５から２メートル／秒を意味する。流れは、強度及び方向に安定している場合には、タービンは、２メートル／秒以上の電流で動作することができる。
【００２０】
図５、図６を参照すると、タービン１を含む、一緒にブレードの最初のグループを備えている。
【００２１】
・少なくとも２つの外部調整が拠点バルブ２の先端部２ａの近くに位置しているバルブ２および４０ａの開発表面に実質的に垂直に翼４０； 少なくとも外側保持ブレード４１は、バルブ２に垂直に、本質的に開発し、バルブ２とのほぼ中間の長さに位置し、
【００２２】
・少なくとも二つの外側螺旋ブレード４２はそれぞれ、タービンの寸法及び使用される材料の重量に応じて約３／４回転の５／６にを形成する、ヘリカル３一体型のブレード（規制、のように総重量と）を保持すると、電球の周りに均一に分布している。
【００２３】
したがって、ベーンの最初のグループは、少なくとも６つのブレードと一体に形成され、それぞれの外側螺旋羽根４２は、その端部近傍に固定されている。
【００２４】
外側の規制ブレード４０と外部保持刃４１の頂点４０Ｂ及び４１Ｂにそれぞれ部４２ａ、４２ｂを一体に螺旋状の羽根、規制ブレードと保持ブレードによって形成されます。連帯ブレードの最初のグループは、このように少なくとも二つの積分単位を含む。しかし、明確にするために、図面は、一般に、これらのセットのうち１つだけを示している。最初のグループのブレードはすべて同じ第１の方向に回転するようにバルブ２上に配置されている。
【００２５】
本発明のタービン１はさらに、一緒にブレードの第二のグループで提供される。
【００２６】
塩基球２の先端部２ａ付近に配置されているバルブ２および５０ａの表面に対して垂直な実質的に」とは、少なくとも２つの調節先進内部ベーン５０と、
・少なくとも２つの内部保持ブレード５１は、バルブ２に垂直に、本質的に開発し、バルブ２とのほぼ中間の長さに位置し、
・少なくとも２つの内側螺旋ブレード５２は、各ターンの５／６に約３／４を形成する。ブレード連帯の第２のグループは、ブレードの数が同じで形成され、第一のグループは、少なくとも６つのブレードで構成されている。したがって、本発明に係るタービン１は、少なくとも１２のブレードを含む。
【００２７】
第２グループの羽根は最初のグループのブレードと同様に配置されている：各内部螺旋羽根５２は、内部の規制ブレード５０と保持ブレードの頂点５０Ｂと５１Ｂにそれぞれその両端部５２ａ、５２ｂとに取り付けられている。内部５１は、ブレードは、このように一体型ユニットを形成すると述べました。第二のグループ連帯ブレードは、このように少なくとも二つの積分単位を含む。しかし、明確にするために、図面は、一般に、これらのセットのうち１つだけを示している。最後に、第２グループのブレードは、全ての第１の反対側に、同第２の方向に回転するようにバルブ２上に配置されている。
【００２８】
図６に示すように、第２グループのブレードは内および第二のグループのために、外部の夜明けのための内部夜明けの用語を正当化する最初のグループのブレードの近くに最初のグループが縦横に配置されている。したがって、第２のグループのブレードは、第１グループのブレードとの間の空間内で回転する。
【００２９】
第１および第２のグループのそれぞれの羽根が配置されるように、規制ブレード保持ブレードと螺旋羽根（４０、４１、４２または５０、５１、５２によって形成された各一体型アセンブリの重量）及びブレードのそれぞれの第１および第２のグループの総重量は、特にタービン１のハブ３の周囲に均等に分配され、好ましくは、ブレードの第１および第２のグループは、同じ重さを有する。
【００３０】
ブレードの第一および第二のグループは、ほぼ同じ速度で（鉛又は発電機、オルタネータまたはなしで）自由に回転するように配置されている。
【００３１】
内部螺旋は、それらが速度変化または電流方向の間に外側螺旋ブレード４２と接触する危険性がある場合には５２、十分な長手方向に安定していないベーン場合、内側螺旋ブレード５２が固定されていると述べたピーク５３の追加の保持ブレード内管２の規制ブレード５０と内部保持ブレード５１との間に開発に実質的に垂直（図４）である。
【００３２】
外部と内部の保持ブレード４１、５１は、好ましくは、現在大きな２．電球のほぼ中間の長さに位置している、より多くの彼らは、その点の下流に位置する。現在、強い縦発生率螺旋ブレード高いが渦巻きが伸長され、減少している。 電球が含まれ、速度、電球から大きな長さ／距離２、内部および外部の螺旋ブレード４２、タービン１、オーバー５２、増加が高く、長く及び螺旋ブレードの影響が小さくなり、渦キャビテーションの発生を回避する。
【００３３】
内側および外側保持羽根４１、５１の後部に、図８に示すように、バルブ２は、その長さの比にわたる最大直径ＤＭ及び定数を有する。より多くの電流が強く、この画分は、それらの基部で、外側保持ブレードの後縁との間に、現在の速度と相対距離を維持するために、バルブ２の後部に行く、そして電球の直径の減少から擾乱の外観を有する。外乱が周囲の上流の流れを遅くしていないため、この距離は十分なものでなければならない。この画分の下流では、球径が負の効果は、その表面で発生する、減少し、最大おおよそのＩＭに高速電球の後端２ｂに近い１５度をますます高める電流が大きく、電球２の減少の表面の最大の負の影響となる。半球のことながら、バルブ２の後端部２ｂの近くで、その直径はますます率直に減少し、バルブ２のアプローチの形状となる。リング６はバルブ２の直径の成長のバルブ２の後端部２ｂに配置され、ベース部４０ａ、５０ａの前面と外部規制羽根に、その先端部２ａにおいて最大である。その後、内部４０、５０、とはますます減少し、外部保持の下流のバルブ２（図４、図５、図７の約半分の長さ、羽根および８）の後方付近でゼロになる。
【００３４】
本発明のタービンの電球２の形状は、周囲の流体の乱れ（ドラッグ＆渦）の最小値を生成するように設計されている。これは、形成された細長いバルブ２は、ドラッグ効果を減少させ、その周囲に電流を増加させることが知られている。このような利点は、例えば、国際公開２０１０／０３３１４７号公報に記載されている。しかし、該電球はかなりの長い道を引き起こし、その最大直径下流タービンの球の最大直径よりも少し小さい。この下流のドラッグは、実質的にタービンの生産性やましてや任意のタービン固定チェーンに相前後して減少する。それはそのイム悪影響その後端部２ｄに１５度未満であり、流れは（妨害されない限り、層のまま電球でいることが注目されているので、本発明のタービンと、抗力が低電流手段とほとんど、あるいはまったくボルテックスとして）低減される。
【００３５】
どこによる球の表面の影響、特に周りと近い電球の先端部に、バルブ２の周辺の現在の増加は、それはこれが本当であることが指摘されたという事実に関しては現在の相対は、最大である。より多くのものは、遠ざかるより影響が小さくなり、周囲の流れが遅く、より高い、球の最大直径での総磁束とほぼ同じ速度を有する。この点の下流には、渦の発生以来、電球の周囲の流れの平均速度は、全体の流れよりもますます少なくなって、減少する。タービンは、電球の周囲の流れを加速することの利点から利益を得ることができるためには、電球の最大直径の下、転移点、渦が表示されるレベルをバックアップする必要がある。これは、上記のようにバルブ２を備え、本発明に係るタービン１と同様である。
【００３６】
外部調整は４０、規制の内部羽根５０、羽根外側保持ブレード４１と電球２バルブ２の先端部または鼻２ａの内部に配置されたそれぞれのロータに関連している５１の内部保持ブレードロータは外部の調整は、外部保持の４１電球２バルブ２のノーズ２ａの第二の区画に含まれる第２の区画と言われているローターブレードはブレード一体の外部（図７の第１のグループと一緒に回転羽根４０が含まれる）である。内部のベーン５０の規制と内部保持ブレード５１と含みの回転子との間に配置されるバルブ２の中央部２ｃは、ロータは、内部羽根の第二のグループと一緒に回転する。電球２の後部コンパートメント２ｄはハブ３に固定される：その約半分を超える全長は外部保持ブレードのロータ４１の後にバルブ２が回転していない拡張コンパートメントバルブ２の背面部２ｄとなる。
【００３７】
空気の３つの保持区画はバルブ２の後部区画部２ｄに固定されているモバイルノーズ部２ａ、中央部２ｃと外部ロータブレードの第二の区画４１であるうちバルブ４の区画に閉じ込められる。総空気量は、所定の深さのために、タービン１に中性浮力を与え、水平位置に保持する。このボリュームは、マスト１０２またはチューブ１０３のセクションとバルブ２と深さの間に位置する支持ケーブル１００と電源ケーブル１０１の一部から、タービン１の重量に依存するタービン１とケーブル部分で１００はメンテナンスフリーである。
【００３８】
前面または背面保持ブレード４１でバルブ２では、電気を発生させる家の機械（発電機、オルタネータ、レギュレータ）５１である。一方向に回転する第１群（外刃）のブレードは、同じ力を生成し、第二群（内部ベーン）のブレードとほぼ同じ速度で回転するように、連帯グループが配置されているブレードと第２ブレード最初ブレードの第１および第２のグループは（原因や発電機またはオルタネータなし）、自由に電源を入れたときに最初に反対の第２の方向に回転する。このように、羽根の１グループによって生成されたクロス回転力が解除される。
【００３９】
電球２の前面には、バルブ２、ロータと外部調整の軸の先端部または鼻２ａに近い４０に配置され、好ましくは、少なくとも２つのボールベアリングを介しハブ３に固定されているベーン述べ、ロータの前面と背面。それぞれのローターと内部規制ブレード５０と５１の内部保持羽根の軸は、ローターの各々のフロントとリアのレベルにある、好ましくは、少なくとも８の軸受を介して、ハブ３と一体となる。ロータと外部保持ブレードの軸４１は、前面に、好ましくは、少なくとも2つの軸受を介して、ハブ３と一体で、バックのローターとなる。
【００４０】
電球２の前面、そのベース４０Ａ、５０Ａ、鼻を形成する曲線の接線と９０°に近い角度に近い攻撃４０Ｃ、外部と内部の規制ブレード４０の５０ｃは、５０のエッジで電球２の２Ａとなる。
【００４１】
その上部４０ｂとでは、４０ｃの外部調整の攻撃のエッジ４０は、バルブ２の高さ２ａの終了前に位置しているベーン（図５、８）である。規制ブレード４０、５０及び保持ブレード４１、５１は、プロペラブレードに近い形状を有している。その頂点４０Ｂ、５０Ｂ、図４（ｂ）、５１、その発生率が増加し、曲率でそのベース４０Ａ、５０Ａ、４１Ａ、５１Ａは、プロフィールを減少させる。その上部４０ｂは、５０ｂと、４１ｂと、５１ｂとでは、それらの交差の発生率は、以下のこれらの場所での螺旋羽根４２、５２のスパイラルの、縦に等しい（タービン１が最適に動作するとき、現在の相対発生率規制ブレード）。そのベース４０ａは、規制の彼らの頂点４０Ｂ、５０Ｂ、相対的な発生率（横）で５０ａは約１５°を通過し４０、５０羽根５°である。ブレード４１を保持し、５１は上部に、そのベースから減少しているが、原理的には、規制ブレード４０よりも小さい相対的な影響を持っている、５０を閉じ、頂点５０ｂの規制内部のベーン５０と近くの下流内部保持ブレード５１、螺旋ブレード４２、５２の頂部５１ｂの上流には、５°の約縦相対的発生率を持っている。規制ブレード保持ブレードでは、螺旋ブレードの縦効果はゼロである。すべてのブレードの相対的な平均への影響は、１０°にほぼ等しい。彼らの最大の相対的な影響は、１５°以下の原則にある。ブレードの相対的な影響に対する値５、１０、１５°は、従来のブレードを取り巻く現在の速度に依存する変数である。最適な効果は、ブレード（２Ｄおよびバルブ２の後部コンパートメント）周辺の流れが層残るものがで渦を発生させることなく、それらの最大値である。タービンが回転その最適な速度に達したときに１に、すべてのブレードの周囲の流れが層流である。タービン１は、キャビテーションがあまりに大きくなると、より高い速度でブレードまたは、上面の後方部分にキャビテーションの発生によって決定された最大回転速度を有する。
【００４２】
周囲の層流を維持するために、現在より高い、より強い相対的影響とブレードのプロファイルの曲率が小さくなる。
【００４３】
（外部調整羽根用）は、図１１に示すように、ベーンのプロファイルは、使用される材料に可能な限り薄い。翼の構造的剛性を確保する圧力と凹部の分布の軸線上に位置する刃の内側にシャフトは位置する（例えば、外側の調節シャフト４０ｄが中にベーン４０とシャフト４１ベーン図４に示す外部メンテナンス４１）。全てのブレードの上面には、プロフィールの全長にわたって定期的に凸状である。ベース４０ａの上面４０ｂに５０ａは、規制の５０ｂは４０、５０とベース部４１ａ、上部４１Ｂに５１Ａ、保持ブレードの５１ｂとベーン４１、５１は、圧力側の凹部は減少し、前方には、約３／４（内輪を指定上面４０Ｅと４０Ｉ指定の外部規制ブレード４０については、図１１）は、その半分でプロファイルの弦の長さを通過する。残りの部分は、凸状の背面である。すべてのブレードの弦の長さｃは定数である。
【００４４】
一体型ベーンアセンブリ（規制、ヘリカルおよび保守）と螺旋ブレード４２の長手方向の安定性の構造の抵抗は、５２（２／３からその長さの３／４程度が必要な場合サイズに応じて）上部に、調節羽根４０、５０及び４１、５１及びそれらの軸を保持し（図８、図９、図１０及び１２）、重複している。木分割プロファイルの部分の直径が減少し、一定である。重複したプロファイルの文字列が削減される。ブレードアセンブリの抵抗が不可欠の要件場合は、プロファイルの和音は、ブレードを保持する前に、より多くのトップに近い、ダブルフロント１５０内部規制ブレード５０との二重１４１を除いて増加を分割１４０二重外部調整する前に外側に行くタービン１、目の前で４１外部４０は、前面に湾曲しているベーン、リアダブル２５０規制内部のベーン５０は、後方に屈曲している。
【図１】
2016502034.tif 000003
【図２】
2016502034.tif 000004
【図３】
2016502034.tif 000005
【図４】
2016502034.tif 000006
【図５】
2016502034.tif 000007
【図６】
2016502034.tif 000008
【図７】
2016502034.tif 000009
【図８】
2016502034.tif 000010
【図９】
2016502034.tif 000011
【図１０】
2016502034.tif 000012
【図１１】
2016502034.tif 000013
【図１２】
2016502034.tif 000014
【図１３】
2016502034.tif 000015
【図１４】
2016502034.tif 000016
【図１５】
2016502034.tif 000017
【図１６】
2016502034.tif 000018
【国際調査報告】
2016502034.tif 000019
2016502034.tif 000020
2016502034.tif 000021
2016502034.tif 000022
2016502034.tif 000023
2016502034.tif 000024